(57)【要約】【課題】印鑑を確実に保持することができ、また印鑑の取り外しも容易に行うことができる印鑑スタンドを提供する。【解決手段】先端及び/又は側面に強磁性体からなる磁性部材を有する印鑑１１の印鑑スタンドであって、スタンド本体１には、筒孔状の印鑑収納部２が形成されているとともに、この印鑑収納部２の底面３には磁石４が装着されており、印鑑１１を収納した場合における磁石４と前記磁性部材との吸引力を[吸引力１]、磁石４とスタンドの設置面２０との吸引力を[吸引力２]としたときに、[吸引力２]＞[吸引力１]の関係となっている。また、前記スタンド本体１の外周には、着せ替え自在なカバー部材１ａが取り付けることもできる。【選択図】図４
2020066190.tif 000002
【特許請求の範囲】
【請求項１】
先端及び/又は側面に強磁性体からなる磁性部材を有する印鑑の印鑑スタンドであって、
スタンド本体には、筒孔状の印鑑収納部が形成されているとともに、この印鑑収納部の底面及び/又は側面には磁石が装着されており、
印鑑を収納した場合における磁石と前記磁性部材との吸引力を[吸引力１]、磁石とスタンドの設置面との吸引力を[吸引力２]としたときに、[吸引力２]＞[吸引力１]の関係となっていることを特徴とする印鑑スタンド。
【請求項２】
スタンド本体の外周には、着せ替え自在なカバー部材が取り付けられている請求項１に記載の印鑑スタンド。
【発明の詳細な説明】
【技術分野】
【０００１】
本発明は、印鑑を確実に保持することができ、また印鑑の取り外しも容易に行うことができる印鑑スタンドに関するものである。
【背景技術】
【０００２】
従来から、印鑑スタンドは公知である。この印鑑スタンドは、底部に吸着機能を有して机の上等に吸着された状態を保持し、また筒状の本体内には印鑑を嵌合保持することができ、印鑑を使用する時にはキャップを本体内に残した状態で印鑑のみを取外せる構造となっている。
【０００３】
例えば、特許文献１には、印鑑のキャップを圧入嵌合して保持する有底筒状の捕捉部と、この捕捉部の側面に設けた開口部と、前記捕捉部の下端面に吸盤体を取り付けた印鑑スタンドからなる印鑑スタンドが開示されている。該印鑑スタンドの場合、キャップと印鑑の嵌合力を[吸引力１]、吸盤体による被吸着面への吸着力を[吸引力２]としたときに、前記２つ吸引力は、[吸引力２]＞[吸引力１]の関係となっている為、印鑑を引き抜こうとすると吸引力の関係から印鑑のみが確実に引き抜かれ、スタンド本体は設置面に吸着したままの状態が保持されることとなる。
【０００４】
しかしながら、特許文献１に示されるものでは、吸盤体の変形などが原因で吸着力が弱くなると、前記２つ吸引力の関係性（[吸引力２]＞[吸引力１]）が逆転し、片手で印鑑の取り出しが行えなくなり、操作性が著しく悪くなる等の問題があった。
また、前記捕捉部で保持されたキャップを取外す際、側面の開口部からキャップ底面の下に棒状部材を導入し、テコの原理を利用してキャップを持ち上げる必用があった。その場合、キャップには斜め上方に力が加わりキャップ周面は捕捉部の内壁に当接しながら上昇する。そのためキャップ周面と捕捉部との間で摩擦力が大きくなり、キャップ取外しに要する力が必要以上に大きくなるという問題があった。また、捕捉部がエラストマー等の摩擦係数の大きい素材である場合は、キャップ取外しに要する力は更に大きくなるという問題があった。
【先行技術文献】
【特許文献】
【０００５】
【特許文献１】特許第５５２０７１１号公報
【発明の概要】
【発明が解決しようとする課題】
【０００６】
本発明は上記のような従来の問題点を解決して、印鑑を確実に保持することができ、また印鑑の取り外しも容易に行うことができ、長期間使用しても印鑑の取り出し操作性を損なうことなく、更には底部に吸着機能を有していて机の上だけでなく壁面等の垂直な面に対しても吸着した状態を保持することができる印鑑スタンドを提供することを目的とするものである。
【課題を解決するための手段】
【０００７】
上記課題を解決するためになされた本発明の印鑑スタンドは、先端及び/又は側面に強磁性体からなる磁性部材を有する印鑑の印鑑スタンドであって、
スタンド本体には、筒孔状の印鑑収納部が形成されているとともに、この印鑑収納部の底面及び/又は側面には磁石が装着されており、
印鑑を収納した場合における磁石と前記磁性部材との吸引力を[吸引力１]、磁石とスタンドの設置面との吸引力を[吸引力２]としたときに、[吸引力２]＞[吸引力１]の関係となっていることを特徴とするものであり、これを請求項１に係る発明とする。
【０００８】
また、前記スタンド本体の外周には、着せ替え自在なカバー部材が取り付けられているものが好ましく、これを請求項２に係る発明とする。
【発明の効果】
【０００９】
請求項１に係る発明では、先端及び/又は側面に強磁性体からなる磁性部材を有する印鑑の印鑑スタンドであって、スタンド本体には、筒孔状の印鑑収納部が形成されているとともに、この印鑑収納部の底面及び/又は側面には磁石が装着されており、印鑑を収納した場合における磁石と前記磁性部材との吸引力を[吸引力１]、磁石とスタンドの設置面との吸引力を[吸引力２]としたときに、[吸引力２]＞[吸引力１]の関係となっているので、印鑑を引き抜こうとすると吸引力の関係から印鑑のみが確実に引き抜かれ、スタンド本体は設置面に吸着したままの状態が保持されることとなる。
しかも、磁石は磁性劣化が殆ど起こらない為、長期間使用を続けても、前記２つの吸引力の関係（[吸引力２]＞[吸引力１]）が逆転する心配がないし、万一劣化した場合も、前記２つの吸引力は均等に減衰する為、先程同様、[吸引力２]＞[吸引力１]の関係が逆転する心配がない。なお、スタンドは机等の水平面上に垂直に置くだけでなく、壁面等の垂直面に水平に置くこともできる。
【００１０】
また、請求項２に係る発明では、前記スタンド本体の外周には、着せ替え自在なカバー部材が取り付けられているため、独自のカバー部材を選択したり、スタンド本体とカバー部材の間に好みの柄を入れたりしてオリジナルなスタンドとすることができる。
【図面の簡単な説明】
【００１１】
【図１】本発明の実施の形態を示す斜視図である。
【図２】本発明の実施の形態を示す断面図である。
【図３】使用状態を示す斜視図である。
【図４】使用状態を示す断面図である。
【図５】その他の使用状態を示す斜視図である。
【発明を実施するための形態】
【００１２】
以下に、図面を参照しつつ本発明の好ましい実施の形態を示す。
図１は、本発明の印鑑スタンドを示す斜視図、図２はその中央縦断面図、図３は使用状態を示す斜視図、図４は使用状態を示す断面図である。図において、１はスタンド本体、２はスタンド本体１の中央部に形成された筒孔状の印鑑収納部、３は印鑑収納部２の底面である。また、１１はキャップ付きの印鑑（キャップは図示せず）であり、従来から市販されている一般的なものである。
【００１３】
前記本体１は、例えば、ポリエチレンやポリプロピレンやポリエチレンテレフタレート等の熱可塑性樹脂からなるが、その他、合成ゴムや金属等からなるものでもよい。ただし、磁力を透過することが必要である。
【００１４】
また、図示のものでは、本体１の外周には、着せ替え自在なカバー部材１ａが取り付けられた構造となっており、独自の色彩や模様のカバー部材を選択したり、スタンド本体とカバー部材の間に好みの柄や絵や写真等を入れたりしてオリジナルな印鑑スタンドとすることができる構造となっている。
【００１５】
前記印鑑収納部２の底面３には板状の磁石４が装着されている。この磁石４は、磁力の作用により本体１と机等の設置面２０を吸引して本体１を設置面２０に固定する働きをするとともに、印鑑先端の強磁性体からなる印鑑スライド部１２を吸引して印鑑１１を本体１に固定する働きをするものである。
【００１６】
ここで強磁性体とは、磁石４との間で引力が生じる物質と定義し、例えば、鉄、コバルト、ニッケル、フェライト系ステンレス鋼（ＳＵＳ430）、マルテンサイト系ステンレス鋼（ＳＵＳ403、ＳＵＳ410）等を用いる事ができる。
なお、印鑑１１は樹脂部材やＳＵＳ部材で構成されており基本的に磁力には反応しないものであるが、前記印鑑スライド部１２はＳＵＳ430で形成されており唯一磁力に反応する部分となっており、前記印鑑スライド部１２が磁力に反応することを利用して、磁力により印鑑１１を印鑑収納部２内に固定保持する構造としている。
また、本発明では磁性部材として印鑑スライド部１２を採用しているが、これ以外に印面や印鑑側面部を磁性部材で構成するようにしてもよい。
【００１７】
前記磁石４は、ＭＫ鋼、アルニコ、フェライト、コバルト等の保磁力が大きい強磁性体の残留磁化を利用した永久磁石を用いることができる。形状としては、印鑑収納部２の底面３に密着できるように円板状のものが好ましく、また、接着剤を介して底面３に固定しておくのが好ましい。
また、磁石４の設置位置は印鑑収納部２の底面３以外に、側面に設けても良い。
【００１８】
図示のものでは、前記印鑑収納部２の高さが１／２程度の位置に、段部５が設けられており、印鑑１１を挿入した場合に先端の軸端部１３が前記段部５に係止されて定位置に固定される構造となっている。また、前記印鑑スライド部１２の先端はこの段部５より下方へ突出した状態となっており、かつ磁石４との間には空間部が形成された状態となっている。そして、この空間部の長さによって前記印鑑スライド部１２と磁石４との間の吸引力の強さを任意に調整することができる。ただし、この空間部は必須ではなく、スライド部１２の先端と磁石４とが接していても問題ない。なお、図中、６は合成樹脂やゴム等からなる滑り止め部材である。
【００１９】
本発明では、印鑑１１を収納した場合における磁石４と前記印鑑スライド部１２との吸引力を[吸引力１]、磁石４と机上等のスタンドの設置面２０との吸引力を[吸引力２]としたときに、[吸引力２]＞[吸引力１]の関係となっている。
このように、スタンドと設置面２０との[吸引力２]が、磁石４と印鑑スライド部１２との[嵌合力１]よりも大きい関係となっているので、捺印しようとして印鑑１１を引き抜くと、先に印鑑１１が磁石４の磁力から外れて印鑑１１のみを引き抜くこととなり、スタンドはそのまま設置面２０に固定された状態が保持されることとなる。
【００２０】
なお、印鑑１１はキャップ（図示せず）を有しているが、印鑑１１をスタンドにセットしている間は、印判と反対側の軸端部にキャップを嵌合した状態としておくか、外した状態で別途抽斗等に保管しておけばよい。
また、図示のものではスタンドを机上にセットした場合について説明したが、図５に示されるように、印判等の金属製収納箱２１の側壁面にもセットすることもでき便利である。更に、印鑑１１をスタンドにセットした状態で抽斗に収納した場合も、磁石によりスタンドが抽斗の壁面等に吸着するため転がることがなく、安定した状態で保管することができる。
【００２１】
以上のように構成したものでは、図２に示されるように、本体１を設置面２０に置くと磁石４の吸引力によって本体１はしっかりと固定されることとなる。次いで、図４に示されるように、印鑑１１を印鑑収納部２に挿入すると先端の軸端部１３が本体１の段部５に係止されて自動的に定位置に固定されることとなる。この状態では、印鑑スライド部１２は前記磁石４の吸引力の作用により吸引されるので印鑑１１はしっかりと固定されることとなる。
【００２２】
一方、印鑑１１を使用する場合は、印鑑１１を引き上げると、本体１は設置面２０に固定された状態を維持して印鑑１１のみが簡単に取外されることとなる。即ち、印鑑１１を収納した場合における磁石４と前記印鑑スライド部１２との吸引力を[吸引力１]、磁石４と机上等のスタンドの設置面２０との吸引力を[吸引力２]としたときに、[吸引力２]＞[吸引力１]の関係となっているので、印鑑１１のみを取外すことが可能となる。また、捺印処理後は印鑑１１を印鑑収納部２に戻せば、印鑑スライド部１２は前記磁石４の吸引力の作用により吸引されるので印鑑１１はしっかりと固定されることとなる。
なお、本体１は設置面２０に固定された状態が維持されているので、印鑑１１をスタンドに挿入する操作、及び印鑑１１をスタンドから引き上げる操作は片手で行うことができ、非常に便利である。
【符号の説明】
【００２３】
１  本体
１ａ  カバー部材
２  印鑑収納部
３  底面
４  磁石
５  段部
６  滑り止め部材
１１  印鑑
１２  印鑑スライド部
１３  軸端部
２０  設置面
２１  収納箱
【図１】
2020066190.tif 000003
【図２】
2020066190.tif 000004
【図３】
2020066190.tif 000005
【図４】
2020066190.tif 000006
【図５】
2020066190.tif 000007